(57)【要約】      （修正有）【課題】（木、合成樹脂、鉄、紙）類で構成した特殊構造の長方形の重箱で蓋箱部と底箱部で夫々別々の構造で組み合わせて構成し蓋箱部の天板に中央を中心にテッシュペーパーが取り出しやすい開口部を設けて周囲に板枠を設けた蓋箱を構成し底箱部は底板の周囲に２重の板枠を設け内側板枠と外側板枠との間に蓋箱の板枠が納まるよう尚内側板枠の中に袋詰テッシュペーパーが納まるように構成する。【解決手段】内側板枠の高さ巾は袋詰テッシュペーパーの厚みの巾の７０〜７５％位で蓋箱の板枠巾も同じで外側板枠の巾は袋詰テッシュペーパの厚みの巾の１６０〜１７０％位で構成したテッシュペーパーボックスで２段重ね積で収納でき下段はスペア―のテッシュペーパーボックスを提供する。【選択図】図１
2018083661.tif 000002
【特許請求の範囲】
【請求項１】
このテッシュペーパーボックスは、底箱部と蓋箱を夫々の構造で制作し組み合わせて構成したテッシュペーパーボックスで、底箱部は底平板の周囲に内板枠と外板枠（内板枠と外板枠の間に空間を設けその空間に後記に記す、蓋箱部に構成した板枠が納まるよう）の２重板枠の構造で内枠内の面積は袋詰テッシュペーパーの平面のタテ、ヨコの寸法の１０５〜１１０％位で内板枠の高さ巾の寸法は袋詰テッシュペーパーの厚み巾寸法の７０〜７５％位で外板枠の高さ巾の寸法は１６０〜１７０％位の構造で構成し、蓋箱の構造は平板の周囲に（底箱部の周囲に設けた内板枠と外板枠の間の空間に納まるよう）板枠を（板枠の高さ巾は底箱部の内側板枠の高さ巾と同じ寸法）設けた構造で上平板部にテッシュペーパーが取り出しやすいように中央を中心に横長の開口部を設けた蓋箱で蓋箱と底箱部を組み合わせて構成したテッシュペーパーボックス
【請求項２】
請求項１のテッシュペーパーボックスで底箱部の内側板枠の外部分に蓋箱の板枠が納まり、尚袋詰テッシュペーパーを安定収納が可能な（図８参照）板枠以外にポールを四方隅周辺に設けた構造で構成したテッシュペーパーボックス
【請求項３】
請求項１のテッシュペーパーボックスで底箱部の内側板枠の外部分に蓋箱の板枠が納まり、尚袋詰テッシュペーパーを安定収納が可能な（図９参照）板枠以外に板辺を四方隅周辺に設けた構造で構成したテッシュペーパーボックス
【請求項４】
請求項１のテッシュペーパーボックスで（図７、８、９参照）テッシュペーパーが減少し蓋箱の板枠が底箱部の底板に着く状態になると外板枠の内側にテッシュペーパーの追加を促す目印のラインが現れる構造で構成したテッシュペーパーボックス
【発明の詳細な説明】
【技術分野】
【０００１】本発明はテッシュペーパーボックスに関する
【背景技術】
【０００２】従来のテッシュペーパーボックスは使い捨ての物が大部分で使用中突然ペーパーが無くなる心配があるテッシュペーパーボックスである
【先行技術文献】
【特許文献】
【０００３】
【特許文献１】実用新案登録第３１０１３９０号
【特許文献２】特開２００２−３０２１７１号
【０００４】
【非特許文献１】インターネット  ヤフー  インターネット販売
【発明の概要】
【発明が解決しようとする課題】
【０００５】実用新案登録第３１０１３９０号
身体障害者用用便紙箱、この便紙箱は取り出し口が底に設けてあり  又、壁面などに接置し使用するため、使用範囲が限定され、又箱の上部より箱入りテッシュペーパーを３段収納可能であるが、下部の横より空箱を引き出す構造になっていて空箱の処理に不安である用便紙箱、この特許文献１の課題は第１課題とし（第１課題は移動を可能にして空箱の処理方法）を解決することを目的とする【０００６】特開２００２−３０２７１号
このテッシュペーパーボックスは箱入りテッシュペーパーの両裏側を貼り合わせて使用し片側が終了したら裏返して使用する提案である、使い始めると上部に中心が移動し転倒の心配がある、又２個の箱入りテッシュペーパーを収納する上下に開口部を設けた箱を構成し、上下左右に回転させ使用することを提案している衛生的に不安であり、尚大きなスペースを要し課題である、特許文献２の課題は第２課題とし（第２課題は転倒の防止及び衛生的処理並びスペースの縮小）解決することを目的とする【０００７】非特許文献  インターネット  ヤフーのインターネット販売
袋詰テッシュペーパーを木箱に入れ平坦な木蓋（取り出しやすい開口部を設けた）で蓋を使用する構造のボックスがネット販売されている、又同様な構造のプラスチック製品が市販されているが各製品とも使用中蓋が外れテッシュペーパーが外に飛び出す危険がある、この非特許文献３は課題第３とし（課題第３は蓋部分が外れない及びテッシュペーパーが外に飛び出さない）構造のテッシュペーパーボックスを構成することを目的とする
【課題を解決するための手段】
【０００８】ボックスを小型化するため、紙箱入りテッシュペーパーをやめコンパクト包装の袋詰テッシュペーパーを採用し大量に収納可能にするため２段重ねで収納し（下段テッシュペーパーをスペア―とし上段のテッシュペーパーが終了しても連続で下段のテッシュペーパーを使用可能にし、又簡単にスペア―が追加できる）のテッシュペーパーボックスの提供を目的とし蓋部分と底部分に夫々の機能がある構造のテッシュペーパーボックスで【０００９】底箱部分は底板の周囲に２重の板枠を（外枠と内枠との間に「（図１，３，７参照）」空間を設けて後記で示す蓋の板枠が納まるよう）設けた構造の底箱で【００１０】蓋部分は蓋板部分の周囲に（前記に示した底箱の２重の板枠の間に納まるよう）板枠を設け蓋板部分の中央を中心に長方向にテッシュペーパーが取り出しやすいように横長の開口部を設けた蓋箱で【００１１】底箱の内側板枠内の面積は袋詰テッシュペーパーの平面のタテ、ヨコ寸法の１０５〜１１０％位とし板枠の高さ巾は袋詰テッシュペーパーの側面の厚み巾寸法の７０〜７５％位とした構造の底箱で【００１２】蓋箱の板枠の高さ巾は底箱の内側板枠の巾寸法と同じ寸法の構造で底箱と蓋箱を組み合わせ構成したテッシュペーパーボックスで
【作用】
【００１３】袋詰テッシュペーパー２段に重ね底箱の内側板枠に収納する（下段はスペア―で上下段共に開封して収納することが望ましい）上段より使用する構造である２段重ねで収納すると底箱の外枠より上部にせりあがるが蓋枠と底箱の外枠が重なり合う部分があってテッシュペーパーを抱え込むような構造であり蓋部分が外れずテッシュペーパーが外部に飛び出すことがない構造であり
【００１４】使用が進行しテッシュペーパーが減少すると蓋箱の自重で底箱の外枠と内枠の空間に滑り込み下がってゆく構造で空袋部が押しつぶされテッシュペーパーが取り出しやすい構造で
【００１５】上段の袋詰テッシュペーパーが空になった時点テッシュペーパー同様に開口部より取り出すと下段のスペア―の袋詰テッシュペーパーが現れ連続して使い続けることができ、尚使い続けると（図３，７参照）符号１４のスペア―の追加を促すサインのラインが記してある構造で構成したテッシュペーパーボックスで
【００１６】新たに袋詰テッシュペーパーを追加収納する場合、箱を裏返し底箱部を引き抜くと減少した袋詰テッシュペーパーの裏側が現れその後ろに追加のテッシュペーパーを（開封後）下に向け収納し底箱部を差し込み表に返して使用するテッシュペーパーボックス
【００１７】上記課題第１の解決の手段をコンパクトで大量に収納可能にして移動が簡単で空箱の処理がないテッシュペーパーボックスを構成して解決し上記課題第２，３の解決の手段を中心が常に安定し転倒の心配もなく蓋部分が外れテッシュペーパーが飛び出すこともない衛生的でテッシュペーパーボックスを構成し解決の手段とした尚テッシュペーパーを使用中不意に無くなる心配が解消されて身体のストレスが減少する効果がきたいされる更に袋詰テッシュペーパーを使用することで小エネ効果があるテッシュペーパーボックスを提供する
【発明の効果】
【００１８】上記に記したようにボックス内に袋詰テッシュペーパーを２段に重ねに収納し下段をスペア―として使い続けることが可能で減少時に外枠の内側に袋詰テッシュペーパーの追加を促すラインの印が現れる構造のテッシュペーパーボックスである
【００１９】袋詰テッシュペーパーの追加収納する場合箱を裏返して底箱を引き抜くと減少した袋詰テッシュペーパーの裏側が現れその後ろに追加のテッシュペーパーを（開封後）下向きにし収納し底箱を差し込み表向きに返し通常に使い続けることができるテッシュペーパーボックスである
【００２０】日常不意にテッシュペーパーが無くなる心配が解消され身体のストレスが減少する効果が考えられ、尚袋詰テッシュペーパーを使用することで小エネ効果があり経済的あるテッシュペーパーボックスを提供する
【図面の簡単な説明】
【００２１】
【図１】長方向側面断面図
【図２】平面図
【図３】横側面断面図
【図４】斜視図
【図５】斜視１部かき取り図
【図６】スペア―の袋詰テッシュペーパーが減少した時の側面断面図
【図７】袋詰テッシュペーパーが減少した時の側面断面図
【図８】横方向ポール使用側面断面図
【図９】横方向板辺使用側面断面図
【発明を実施するための形態】
【００２２】本発明のテッシュペーパーボックスは底箱部と蓋箱部で夫々の機能を設けた構造で構成し底箱部と蓋箱を組み合わせて構成したテッシュペーパーボックスで実施の形態，及び、構造、構成を図面と符号を参照しながら説明するこのテッシュペーパーボックスは（木、合成樹脂、紙、布、鉄）類で構成し
【００２３】底箱部は（図１、３，６参照）底箱部の底板の周囲に８，９の蓋箱の枠板が納まるよう２，３の外板枠と４，５の内板枠の間に空間を設けた（内側にスペア―の袋詰テッシュペーパーが収納可能で後記の蓋箱の蓋枠が上下稼働を阻害しないよう）２重の板枠を設けた構造で内側板枠内の面積は袋詰テッシュペーパーの平面のタテヨコの寸法の１０５〜１１０％位（収納しやすい関係）の構造で
【００２４】内側板枠の巾（高さ巾）寸法は袋詰テッシュペーパーの厚み巾の寸法は７０〜７５％位（ペーパーの量が減少した時取り出しやすい関係）で、尚蓋箱の板枠の巾も同じ寸法である
【００２５】他に内側板枠と同様の機能を有する効果（図８参照）を持つ底板よりポールを立ち上げ袋詰テッシュペーパーをガードし蓋箱の板枠の上下稼働を阻害しない構造もある更にポールの替りに（図９参照）板辺でガードしても同様の機能を有する構造もある
【００２６】底箱の外枠は袋詰テッシュペーパーの厚み巾の１６０〜１７０％位（袋詰テッシュペーパーを２段重ねに収納した時、蓋箱の蓋枠の外れ防止と使用中減少した時ペーパーを取り出しやすい関係）が望ましい
【００２７】尚底箱の内側板枠と外側板枠（図１，６，７参照）との間に蓋枠が納まるように空間を設けた構造の底箱
【００２８】蓋箱は蓋板の中央を中心に横長方向にテッシュペーパーが取り出しやすいように横長の開口部を設けて蓋板の周囲に前記に記した底箱の内側板枠の巾と同じ寸法巾の板枠を設けた蓋箱で、蓋枠を設けた蓋箱と底箱部を組み合わせて構成したテッシュペーパーボックスで
【００２９】（図１、３、５、６、７、８参照）図５の切り取り図の様に底箱の内側板枠の内側の中に袋詰テッシュペーパーを２段重ねで収納し、下段の袋詰テッシュペーパーはスペア―とし（開封して収納が望ましい）収納し、蓋箱の取り出し口より通常の使用法で１段目のテッシュペーパーが終了時に、空袋はペーパーを取り出すと同じ方法で取り出した後スペア―の袋詰テッシュペーパーが現れ連続して使用でき減少した時蓋箱の自重で袋を圧縮し自然に下がりペーパーを取り出しやすくなるテッシュペーパーボックスで
【００３０】尚、スペア―の袋詰テッシュペーパーを使い続けると（図７，８，９参照）１４の目印のラインが現れスペア―の袋詰テッシュペーパーを追加収納を促すサインとして設けてあるテッシュペーパーボックスで
【００３１】袋詰テッシュペーパーを追加収納する方法は、箱を裏返して底箱部を引き抜きスペア―の袋詰テッシュペーパーの裏側に（開封後）追加収納し底箱部を差し込み箱を表に返し使用を続けられるテッシュペーパーボックスで
【００３２】テッシュペーパーが突然終了する、心配が解消され身体のストレスが減少する効果が考えられると共に、小エネ効果があり経済的なテッシュペーパーボックスを提供する
【符号の説明】
【００３３】１          底箱部の底平板
２          底箱部の外側左右の板枠
３          底箱部の外側前後の板枠
４          底箱部の内側前後の板枠
５          底箱部の内側左右の板枠
６          蓋箱の上平板
７          テッシュペーパーの取り出し口
８          蓋箱左右の側板枠
９          蓋箱前後の板枠
１０        底箱部の内側前後の板辺
１１        底箱部の内側左右の板辺
１２        底箱部の内側前後のポール
１３        底箱部の内側左右のポール
１４        目印のライン
【図１】
2018083661.tif 000003
【図２】
2018083661.tif 000004
【図３】
2018083661.tif 000005
【図４】
2018083661.tif 000006
【図５】
2018083661.tif 000007
【図６】
2018083661.tif 000008
【図７】
2018083661.tif 000009
【図８】
2018083661.tif 000010
【図９】
2018083661.tif 000011